(57)【要約】  固体形状である染み抜き材料５を収容するための容器４を有する、布における染みのついた領域を局所的に除去するための携帯用染み抜き具１であって、容器４は、携帯用染み抜き具１が使用されているときに、該染みのついた領域と直接に接触することを意図され、携帯用染み抜き具１はまた、容器４を保持するための基部保持部３と、携帯用染み抜き具１が使用されていないときに、容器４を閉じるための基部保持部３と協働するカバー２と、を有する。
2020506731.tif 000002
【特許請求の範囲】
【請求項１】
布における染みのついた領域を局所的に除去するための携帯用染み抜き具であって、
固体形状である染み抜き材料を収容する容器であって、前記携帯用染み抜き具が使用されているときに、前記染みのついた領域と直接に接触することを意図された容器と、
前記容器を保持するための基部保持部と、
前記携帯用染み抜き具が使用されていないときに、前記容器を閉じるための、前記基部保持部と協働するカバーと、
を有する、携帯用染み抜き具。
【請求項２】
前記染み抜き材料は、活性酸素供給源を有する、請求項１に記載の携帯用染み抜き具。
【請求項３】
前記活性酸素供給源は、化学式Ｈ２Ｏ２を持つ過酸化水素、化学式Ｎａ２ＣＯ３・１．５Ｈ２Ｏ２を持つ過炭酸ナトリウム、及び化学式ＮａＢＯ３・Ｈ２Ｏ又はＮａＢＯ３・４Ｈ２Ｏを持つ過ホウ酸ナトリウムのいずれか１つを有する、請求項２に記載の携帯用染み抜き具。
【請求項４】
前記染み抜き材料は、漂白活性剤を更に有する、請求項１乃至３のいずれか一項に記載の携帯用染み抜き具。
【請求項５】
前記漂白活性剤は、
テトラアセチルエチレンジアミン（ＴＡＥＤ）、
４−デカノイルオキシ安息香酸（ＤＯＢＡ）、
ノナノイルオキシベンゼンスルホン酸（ＮＯＢＳ）のナトリウム塩、
３，５，５−トリメチルヘキサノイルオキシベンゼンスルホン酸（ｉｓｏ−ＮＯＢＳ）のナトリウム塩、
アセトキシフェニルスルホナートのナトリウム塩、
デカノイルオキシベンゼンスルホン酸（ＤＯＢＳ）ナトリウム、
オクタノイルオキシベンゼンスルホン酸（ＯＯＢＳ）ナトリウム、
ＧＯＢＳ、
ノナノイルオキシ安息香酸（ＮＯＢＡ）ナトリウム、
Ｎ，Ｎ−ジアセチルエチレンジアミン、
Ｎ−［４−（トリエチルアンモニオメチル）ベンゾイル］ブチロールアクタムクロリド（ＴＢＢＣ）、
トリメチルヘキサノイルオキシベンゼンスルホン酸ナトリウム（ＳＴＨＯＢＳ）、
４−ベンゾイルオキシベンゼンスルホン酸ナトリウム（ＳＢＯＢＳ）、
グルコースペンタアセテート（ＧＰＡ）、
テトラアセチルグリコールウリル（ＴＡＧＵ）、
ニトリロトリアセテート（ＮＴＡ）、及び
遷移金属漂白触媒
のいずれか１つを有する、請求項４に記載の携帯用染み抜き具。
【請求項６】
前記容器は、袋、パッド、カートリッジ、小袋及びカプセルにより定義される形態のいずれかをとる、請求項１乃至５のいずれか一項に記載の携帯用染み抜き具。
【請求項７】
前記容器は、流体透過性であり、高密度紙、布、不織布及び多孔質プラスチックのいずれかからとられた材料からつくられた、請求項１乃至６のいずれか一項に記載の携帯用染み抜き具。
【請求項８】
前記容器は、芳香及び／又は香料剤を更に有する、請求項１乃至７のいずれか一項に記載の携帯用染み抜き具。
【請求項９】
前記容器は、異なる染み抜き材料を収容するための少なくとも２つの区画に分割された、請求項１乃至８のいずれか一項に記載の携帯用染み抜き具。
【請求項１０】
前記基部保持部及び／又はカバーは、液体不透過性である、請求項１乃至９のいずれか一項に記載の携帯用染み抜き具。
【請求項１１】
前記基部保持部は、液体受容部を有し、前記容器は、前記液体受容部のなかに配置された、請求項１乃至１０のいずれか一項に記載の携帯用染み抜き具。
【請求項１２】
水及び／又は化学的な中和剤を収容するための液体タンクと、
前記液体タンクから前記染みのついた領域へと水及び／又は化学的な中和剤を排出するための排出機構と、
を更に有する、請求項１乃至１１のいずれか一項に記載の携帯用染み抜き具。
【請求項１３】
前記排出機構は、圧力ベースのノズル、速度ベースのノズル、スプレー、及び重力又はいずれかのかけられる力による滴下のいずれかに対応する、請求項１２に記載の携帯用染み抜き具。
【請求項１４】
布における染みのついた領域を局所的に除去するための携帯用染み抜き具を用いて染みのついた領域を除去する方法であって、前記携帯用染み抜き具は、
固体形状である染み抜き材料を収容する容器であって、前記携帯用染み抜き具が使用されているときに、前記染みのついた領域と直接に接触することを意図された容器と、
前記容器を保持するための基部保持部と、
前記携帯用染み抜き具が使用されていないときに、前記容器を閉じるための、前記基部保持部と協働するカバーと、
を有し、前記方法は、
前記容器を露出させるため前記カバーを取り外すステップと、
前記携帯用染み抜き具を前記布の下に配置し、前記容器と前記染みのついた領域との直接の接触を実現するステップと、
水及び／又は蒸気及び／又は熱を前記染みのついた領域に供給するステップと、
を有する、方法。
【請求項１５】
前記携帯用染み抜き具は更に、
水及び／又は化学的な中和剤を収容するための液体タンクと、
前記液体タンクから前記染みのついた領域へと水及び／又は化学的な中和剤を排出するための排出機構と、
を有し、前記方法は更に、
前記液体タンクから前記染みのついた領域へと水及び／又は化学的な中和剤を排出するために前記排出機構を用いるステップ
を有する、請求項１４に記載の方法。
【発明の詳細な説明】
【技術分野】
【０００１】
本発明は、染み抜きの分野に関し、特に携帯用染み抜き具に関する。
【背景技術】
【０００２】
布は、衣類は家具に用いられることができる一般的な材質である。布は一般に、流体を吸収することができる。この独特の性質は、布が食品、飲料及び筆記用のマーカのような汚れ物質によって容易に汚され得、一般に布を洗うことなしでは容易に除去され得ない布上の望ましくないスポットに帰着し得ることを意味する。これらのスポットは、しばしば染み（stain）と呼ばれ、種々の厄介な工程を通して取り除かれ得る。
【発明の概要】
【発明が解決しようとする課題】
【０００３】
幾つかの場合においては、染みは、洗濯工程に先立ち集中的で局所的な事前処置工程を必要とさえし得る。これらは、布全体を洗う場合にのみ生じ得る面倒な工程である。
【０００４】
斯くして、迅速な態様でスポットの染みを除去することを可能とする方法に対するニーズが存在する。
【０００５】
本発明の目的は、上述した問題を回避する又は軽減する、携帯用染み抜き具を提供することにある。
【課題を解決するための手段】
【０００６】
本発明は、独立請求項により定義される。従属請求項は、有利な実施例を定義する。
【０００７】
この目的のため、本発明による携帯用染み抜き具は、
固体形状である染み抜き材料を収容する容器であって、前記携帯用染み抜き具が使用されているときに、前記染みのついた領域と直接に接触することを意図された容器と、
前記容器を保持するための基部保持部と、
前記携帯用染み抜き具が使用されていないときに、前記容器を閉じるための、前記基部保持部と協働するカバーと、
を有する。
【０００８】
本発明はまた、以上に提示されたような携帯用染み抜き具を用いて染みのついた領域を除去する方法であって、
前記容器を露出させるため前記カバーを取り外すステップと、
前記携帯用染み抜き具を前記布の下に配置し、前記容器と前記染みのついた領域との直接の接触を実現するステップと、
水及び／又は蒸気及び／又は熱を前記染みのついた領域に供給するステップと、
を有する、方法に関する。
【０００９】
本発明は、化学媒体を用いることにより染みの処置を可能とする、携帯用染み抜き具、及びユーザに対する方法の提供に基づく。該携帯用染み抜き具は、衣類用スチーマ又は衣類用アイロンのような、いずれかの家庭用器具において一般的に見出される、水及び／又は蒸気及び／又は熱を供給することが可能なユーザのハンドヘルド型装置と協働するよう意図される。
【００１０】
提案される携帯用染み抜き具及び方法は、化学物質、水及び／又は蒸気及び任意に熱の組み合わせを利用する。このことは、好適な染み抜き速度及び結果の両方を実現する。該染み抜きの方法により、布全体を洗う必要なく、染みのスポットが効果的に除去されることができる。該携帯用染み抜き具により、衣類上の染みは、化学的に処置されるのみならず、希釈され洗浄され得る。
【００１１】
換言すれば、該方法は、ユーザが衣類上の染みを局所的に処置し、染みのスポットの外見を迅速に取り除くことを可能とする。
【００１２】
染み抜き材料が固体の形状であるという事実は、（液体の形となる染み抜き材料とは異なり）容器における保存及びパッケージングを容易化し、時間経過に対してより安定である（即ち劣化しない）という利点を持つ。更に、固体の形をとる染み抜き材料を用いる携帯用染み抜き具を操作することは、液体の漏れが生じないため、ユーザの体感を改善する。
【００１３】
本発明のこれらの及び他の態様は、以下に説明される実施例を参照しながら説明され明らかとなるであろう。
【図面の簡単な説明】
【００１４】
【図１】使用されていないときの本発明による携帯用染み抜き具の実施例の側面図を示す。
【図２】染み抜きの間の本発明による携帯用染み抜き具の実施例の側面図を示す。
【図３】使用されていないときの本発明による携帯用染み抜き具の他の実施例の側面図を示す。
【図４】染み抜きの間の本発明による携帯用染み抜き具の実施例の側面図を示す。
【図５】過炭酸ナトリウムからのＨ２Ｏ２の化学的な形成を示す。
【図６】ＴＡＥＤからのペルオキシ酸の化学的な形成を示す。
【図７】ＤＯＢＡからのペルオキシ酸の化学的な形成を示す。
【図８（Ａ）】本発明による携帯用染み抜き具と協働することを意図されたハンドヘルド型装置の図を示す。
【図８（Ｂ）】本発明による携帯用染み抜き具と協働することを意図されたハンドヘルド型装置の図を示す。
【図９】布における染みを処置する間に用いられるハンドヘルド型装置を示す。
【図１０（Ａ）】種々の染み抜き材料を収容するための本発明による容器の図を示す。
【図１０（Ｂ）】種々の染み抜き材料を収容するための本発明による容器の図を示す。
【図１１】本発明による方法のフロー図を示す。
【発明を実施するための形態】
【００１５】
図１及び図２は、布６における染みのついた領域７を局所的に取り除くための、本発明による携帯用染み抜き具１を示す。
【００１６】
携帯用染み抜き具１は、
固体形状である染み抜き材料５を収容する容器４であって、携帯用染み抜き具１が使用されているときに、該染みのついた領域と直接に接触することを意図された容器４と、
容器４を保持するための基部保持部３と、
携帯用染み抜き具１が使用されていないときに、容器４を閉じるための、基部保持部３と協働するカバーと、
を有する。
【００１７】
図１は、使用されていないときの（例えば保管の間の）、本発明による携帯用染み抜き具１の実施例の側面図を示す。該携帯用染み抜き具が使用されていないときには、カバー２は、基部保持部３により保持される容器４をカバーしている。該カバーは、容器４を保護し、キット１が便利に持ち運べることを確実にする。
【００１８】
図２は、使用されているときの（即ち染み抜き処置の間の）、本発明による携帯用染み抜き具１の実施例の側面図を示す。
【００１９】
携帯用染み抜き具１は、図示されるように、ハンドヘルド型の衣類用スチーマのような、ハンドヘルド型装置１０と協働することを意図されている。代替としては、ハンドヘルド型装置１０は、スチームアイロン（図示されていない）又は同等の装置に対応しても良い。
【００２０】
本実施例においては、取り外されることが意図されたカバー２が取り外されている（即ち脱着されている）。染みのついた領域７を有する布６は、染み抜き材料５を含む容器４の上に直接に置かれる。ハンドヘルド型装置１０により生成される水及び／又は蒸気及び任意に熱が、布６の染みのついた領域７に供給される。
【００２１】
例えば衣類のような布６の染みのついた領域７と容器４とが互いに接触して置かれると、例えば装置１０を用いて、ユーザの水及び／又は蒸気（参照番号８により示される）を供給することにより、及び任意に熱を供給することにより、染みのついた領域７の処置が開始される。
【００２２】
固体形状の染み抜き材料５は、硬質の変形できない材料（凝集化合物のような）、粒状の形態、粉状の形態、ゲルの形態又はペースト状の形態であっても良い材料を指す。
−粉：漂白剤化学物質の粉又は粉の混合物を有する。
−粒：漂白剤化学物質の粒又は粒の混合物を有する。
−ゲル：溶媒及びゲル化剤と混合した過酸化水素溶液を有する。
−ペースト：界面活性剤又は高分子との過酸化水素水混合物、界面活性剤又は高分子との過酸化ナトリウム混合物のような過酸化物粉を有する。
【００２３】
換言すれば、染み抜き材料５は、液体形状を除く、いずれの固体形状をとっても良い。
【００２４】
基部保持部３は、液体受容部１８を有し、容器４は、液体受容部１８のなかに配置される。例えば、液体受容部１８は、容器を囲む横方向の端１７により形成されるが、液体受容部１８はまた、基部保持部３の底部に形成された何らかの凹部であっても良い。
【００２５】
好適には、容器４は、袋、パッド、カートリッジ、小袋及びカプセルにより定義される形態のいずれかをとる。容器の形態の選択は、選択されたユーザの加熱装置又は蒸気装置、処置されるべき布の種類、及びこれに関連して染みを処置するために必要とされる染み抜き材料の量に依存しても良い。従って、該容器のサイズ及び形状も様々なものとなり得る。
【００２６】
更に他の実施例においては、該容器は、高密度紙、布、不織布及び多孔質プラスチックから選択された材料からつくられる。これらの材料はいずれも、流体透過性である。化学物質の溶液を生成するため該容器における染み抜き材料と反応するよう蒸気／水が該容器に入る／浸入する必要があり、該化学物質の溶液は、布における染みを処置する際に用いられるために該容器から放出される必要があるため、このことは重要である。
【００２７】
携帯用染み抜き具の更なる実施例においては、該容器は更に、芳香及び／又は香料剤を有する。このことは、より好適なユーザの知覚を生成する。例えば、該容器は、衛生及び洗浄をユーザに想起させる香りを放出しても良く、又はこのことがユーザに新鮮な印象を与え得る。
【００２８】
図３及び図４は、布６における染みのついた領域７を局所的に取り除くための、本発明による携帯用染み抜き具の他の例を示す。明確さのため、該携帯用染み抜き具と協働することを意図されるハンドヘルド型装置１０は、図４には示されていない。
【００２９】
該携帯用染み抜き具は、カバー２、染み抜き材料を収容する容器４、基部保持部３、液体タンク８、及び液体タンク８にある液体を排出するための排出機構９を有する。例えば、該排出機構は、圧力ベースのノズル、速度ベースのノズル、スプレー、及び重力又はいずれかのかけられる力による滴下を有しても良い。
【００３０】
保管の間、カバー２、基部保持部３及び液体タンク８が、ともに組み立てられる。容器４は、図１及び図２の実施例と同様に、カバー２と基部保持部３との間で囲まれる。基部保持部３は、排出機構９及び液体タンク８を有する。
【００３１】
液体タンク８は、水及び／又は化学的な中和剤を収容するよう構成され、該排出機構は、図２に示されるように、布６における染みのついた領域７へと、液体タンク８から該水及び／又は化学的な中和剤を排出するよう構成される。
【００３２】
一体化した水タンク及び排出機構を実装することは、幾分かの染み抜き材料を溶かすために必要とされる水が外部の供給源から供給される必要がないため、ユーザにとって更なる利便性をもたらす。
【００３３】
図４は、染み抜き処置の間の携帯用染み抜き具の側面図を示す。この段階においては、カバー２は取り外されている。染みのついた領域７は、容器の上に置かれる。蒸気及び／又は熱８８もまた、図１及び図２の実施例と同様に、処置の間に染みのついた布６に供給される必要がある。
【００３４】
好適には、カバー２は、流体に対して非透過性である。該カバーは、ことによると湿った容器内部を被覆及び保持するために用いられ、それ故該容器の湿気により引き起こされる化学的な攻撃、汚染又はその他の損傷から該容器と接触し得る物質を保護する。該カバーはまた、該容器のなかの染み抜き材料が、保管の間に周囲の空気における湿気と反応することを防止する。
【００３５】
好適には、基部保持部３は、流体に対して非透過性である。このことは、液体のよって引き起こされる化学的な攻撃、汚染又はその他の損傷からの、操作タブレット、デスク又はその他のベースに対する保護を提供する。
【００３６】
図１０Ａ及び図１０Ｂは、異なる染み抜き材料を収容するための、本発明による容器４の異なる図を示す。図１０Ａは前面図であり、図１０Ｂは断面図である。
【００３７】
染み抜き材料の容器４は、例えば材料Ａ及び材料Ｂのような、異なる染み抜き材料を収容するための、少なくとも２つの区画４ａ及び４ｂに分割されている。このことは、最適な態様で、単一の容器によって異なる種類の染みに対処するよう機能する。
【００３８】
本例においては、材料Ａは区画４ａに収容される。該材料は、単一の成分であっても良いし混合物であっても良い。材料Ｂは区画４ｂに収容され、該材料もまた単一の成分であっても良いし混合物であっても良い。
【００３９】
染みのついた布は、第１の処置を実行するため区画Ａの上に置かれ、該第１の処置において染みが完全に取り除かれなかった場合に、第２の処置のために区画Ｂへと移動させられても良い。
【００４０】
材料ＡとＢとは共存し、乾燥した固体形状で混合していても良いが、水と接触すると、Ａ及びＢは、互いに影響を与え又は相互作用し、全体的な染み抜き効果を損ない得る。水により染み抜き処置を実行する間にＡとＢとが分離している場合、より好適な染み抜き結果が達成され得る。
【００４１】
例えば、材料Ａは漂白剤及び漂白活性剤であり、材料Ｂは酵素である。染みは最初に、染みにおける全ての色付きの分子を酸化するため、熱及び水によって区画Ａにより処置され、次いで染みにおける蛋白質分子の酵素破壊を起こすため区画Ｂによる処置へと続けられても良い。酵素の活動は高温では低下させられるため、区画Ｂにおける処置を実行する間は、加熱はスイッチオフされるか又は５０℃未満にまで低下させられる必要がある。
【００４２】
図５は、過炭酸ナトリウムからのＨ２Ｏ２の化学的な形成を示す。
【００４３】
図６は、ＴＡＥＤ（テトラアセチルエチレンジアミン、Ｃ１０Ｈ１６Ｎ２Ｏ４）からのペルオキシ酸の化学的な形成を示す。
【００４４】
図７は、ＤＯＢＡ（４−デカノイルオキシ安息香酸、Ｃ１７Ｈ２４Ｏ４）からのペルオキシ酸の化学的な形成を示す。
【００４５】
携帯用染み抜き具の一実施例においては、染み抜き材料は、活性酸素供給源を有する。
【００４６】
当該携帯用染み抜き具の一実施例においては、該活性酸素供給源は、化学式Ｈ２Ｏ２を持つ過酸化水素、化学式Ｎａ２ＣＯ３・１．５Ｈ２Ｏ２を持つ過炭酸ナトリウム、及び化学式ＮａＢＯ３・Ｈ２Ｏ又はＮａＢＯ３・４Ｈ２Ｏを持つ過ホウ酸ナトリウムのいずれか１つを有する。
【００４７】
他の実施例においては、染み抜き材料５は更に、漂白活性剤を有する。
【００４８】
漂白活性剤は、漂白処理のエネルギー消費を低減するため、特に処理温度を低下させるため、用いられる。漂白活性剤及び触媒は、水溶液中の過酸化水素と反応してペルオキシ酸を形成する化合物である。漂白活性剤は、例えば粉のような固体形状である。純粋な過酸化水素による漂白処理とは異なり、ペルオキシ酸は、６０℃より低い温度であっても好適な結果をもたらすことが可能である。それ故、漂白活性剤はここでは、殆どの洗濯洗剤の一般的な成分におけるものと同様に用いられる。
【００４９】
活性酸素供給源（漂白剤）及び漂白活性剤はともに固体形状であり（即ち液体形状ではない）、例えば混合された粉に共存することができる。乾燥した固体の状態においては、漂白剤及び漂白活性剤は安定である。水又は湿気との接触が為されるまで、反応は生じない。
【００５０】
携帯用染み抜き具の一実施例においては、漂白活性剤は、以下のいずれか（単独で又は組み合わせで）を有する：
テトラアセチルエチレンジアミン（ＴＡＥＤ）、
４−デカノイルオキシ安息香酸（ＤＯＢＡ）、
ノナノイルオキシベンゼンスルホン酸（ＮＯＢＳ）のナトリウム塩、
３，５，５−トリメチルヘキサノイルオキシベンゼンスルホン酸（ｉｓｏ−ＮＯＢＳ）のナトリウム塩、
アセトキシフェニルスルホナートのナトリウム塩、
デカノイルオキシベンゼンスルホン酸（ＤＯＢＳ）ナトリウム、
オクタノイルオキシベンゼンスルホン酸（ＯＯＢＳ）ナトリウム、
ＧＯＢＳ、
ノナノイルオキシ安息香酸（ＮＯＢＡ）ナトリウム、
Ｎ，Ｎ−ジアセチルエチレンジアミン、
Ｎ−［４−（トリエチルアンモニオメチル）ベンゾイル］ブチロールアクタムクロリド（ＴＢＢＣ）、
トリメチルヘキサノイルオキシベンゼンスルホン酸ナトリウム（ＳＴＨＯＢＳ）、
４−ベンゾイルオキシベンゼンスルホン酸ナトリウム（ＳＢＯＢＳ）、
グルコースペンタアセテート（ＧＰＡ）、
テトラアセチルグリコールウリル（ＴＡＧＵ）、
ニトリロトリアセテート（ＮＴＡ）、
遷移金属漂白触媒等。
【００５１】
図８Ａ及び８Ｂは、本発明による携帯用染み抜き具と協働するよう意図されたハンドヘルド型装置１０の異なる図を示す。
【００５２】
図８Ａはハンドヘルド型装置１０の側面図を示し、図８Ｂはハンドヘルド型装置１０の前面図を示す。
【００５３】
装置１０は、布における染みを除去するため図１又は図３の携帯用染み抜き具とともに用いられることを意図されている。装置１０は、水及び／又は蒸気を放出しても良く、好適には熱を生成する。
【００５４】
装置１０は、
水及び／又は化学的な中和剤を収容するための装置液体タンク１１と、
染みのついた領域を洗浄するため該液体タンクから布へと水及び／又は蒸気及び／又は化学的な中和剤を排出するための排出機構（図示されていない）と、
布における染みのついた領域及び／又は蒸気を生成するための水を加熱するため、及び／又は該化学的な中和剤を加熱するための、例えば加熱プレート１２のような加熱器と、
を有する。
【００５５】
該化学的な中和剤は好適には、漂白反応を停止するため、染み抜き処置の漂白の後に用いられる。
【００５６】
図１又は図３の実施例による処理において、染みのついた衣類は、該携帯用染み抜き具の容器４の上に置かれる。
【００５７】
染みを処置することを開始するため、染みのついた領域は、例えばハンドヘルド型装置１０により、湿らされる（水及び／又は蒸気により）及び／又は加熱される必要がある。
【００５８】
特に、染みのついた領域７は、排出機構により装置液体タンク１１からの水及び／又は蒸気によって湿らされても良い。
【００５９】
熱は、加熱プレート１２によって提供されても良い。このことは、容器４のなかの化学物質が、染み抜きにおいて効率的に且つ迅速に動作することを可能とする。放出する蒸気及び水の機能は、容器４に収容された染み抜き材料を溶解させるために用いられるのみならず、染みのついた領域が該携帯用染み抜き具により処置された後に該染みのついた領域を洗浄するためにも用いられる。
【００６０】
ハンドヘルド型装置１０はまた、布における染みに面する吐出口１４に蒸気を集めるためのガイドヘッド１３を有しても良い。ガイドヘッド１３は、染みのスポットをより効率的に標的とするために用いられる。
【００６１】
図９は、染み抜き処置の処理の間のハンドヘルド型装置１０を示す。
【００６２】
特に、加熱プレート１２は、布６に面し布６と接触して、
漂白を加速するため染み抜きの間に染みのついた領域７を加熱する、及び／又は
該染みのついた領域を乾燥させるため、処置された染みのついた領域の染み抜き及び／又は洗浄の後に、該処置された染みのついた領域７を加熱する。
【００６３】
図１１は、図１、２、３、４とともに説明されたような携帯用染み抜き具（１）を用いて染みのついた領域を除去する、本発明による方法のフロー図を示す。該方法は、
容器４を露出させるためカバー２を取り外すステップ１００１と、
容器４と染みのついた領域とを直接に接触させるように、携帯用染み抜き具１を布６の下に配置するステップ１００２と、
染みのついた領域７に水及び／又は蒸気及び／又は熱を供給するステップ１００３と、
を有する。
【００６４】
好適には、該方法は更に、
液体タンク８から染みのついた領域７へと水及び／又は化学的な中和剤を排出するための排出機構９を用いるステップ１００４
を有する。
【００６５】
以上の説明された実施例は単に例であり、本発明の技術的手法を限定することを意図したものではない。本発明は好適な実施例を参照しながら詳細に説明されたが、当業者は、本発明の技術的手法は、本発明の技術的手法の範囲から逸脱することなく、修正又は同等に変更され得、該修正又は変更もまた、本発明の保護範囲内となることを理解するであろう。請求項において、「有する（comprising）」なる語は他の要素又はステップを除外するものではなく、「１つの（a又はan）」なる不定冠詞は複数を除外するものではない。請求項におけるいずれの参照記号も、請求の範囲を限定するものとして解釈されるべきではない。
【図１】
2020506731.tif 000003
【図２】
2020506731.tif 000004
【図３】
2020506731.tif 000005
【図４】
2020506731.tif 000006
【図５】
2020506731.tif 000007
【図６】
2020506731.tif 000008
【図７】
2020506731.tif 000009
【図８Ａ】
2020506731.tif 000010
【図８Ｂ】
2020506731.tif 000011
【図９】
2020506731.tif 000012
【図１０Ａ】
2020506731.tif 000013
【図１０Ｂ】
2020506731.tif 000014
【図１１】
2020506731.tif 000015
【国際調査報告】
2020506731.tif 000016
2020506731.tif 000017
2020506731.tif 000018